(57)【特許請求の範囲】
【請求項１】
磁気回路形成要素と、磁気回路内のギャップに挿入されたボイスコイルを有しかつ上記磁気回路形成要素の前側に配備された振動板と、この振動板の前側に配備された通音性を有するバッフルプレートと、を備えた電気音響変換器が、ケースに収容され、その電気音響変換器からの背方への音漏れを遮断する遮蔽部材を有すると共に、上記バッフルプレートと上記磁気回路形成要素との間の空間を取り囲む囲い壁部材を有し、上記バッフルプレートに対面して上記ケースに設けられた音孔を有する耳当て部の外周部に音漏れ通路が形成され、この音漏れ通路と上記空間内の上記振動板により仕切られた背室とを連通路を介して連通する音出し通路が上記囲い壁部材に設けられ、上記バッフルプレートの前側に出た音の一部を上記連通路及び上記音出し通路を経て上記背室に戻す音戻し通路がそのバッフルプレートと上記耳当て部とによって形成され、上記バッフルプレートと上記耳当て部との間に柔軟なパッドが配備されていることを特徴とする受話用電気音響変換装置。
【請求項２】
上記遮蔽部材が、上記ケースに装備されかつ背板とその背板と一体の周壁とを有するフレームの上記背板と、上記背板に備わっている取付孔に嵌合状に取り付けられた上記電気音響変換器の上記磁気回路形成要素とによって形成されている請求項１に記載した受話用電気音響変換装置。
【請求項３】
上記囲い壁部材が、周方向の一箇所が欠除された上記フレームの周壁と、その周壁の欠除部に嵌め込まれてその欠除部を塞ぐキャップとによって形成されており、上記キャップに上記音出し通路が形成されている請求項２に記載した受話用電気音響変換装置。
【発明の詳細な説明】
【０００１】
【発明の属する技術分野】
本発明は、携帯電話機のハンドセットなどに用いられる受話用電気音響変換装置に関する。
【０００２】
【従来の技術】
従来、携帯電話機の受話側音響特性を改善する対策として、携帯電話機のケース内に音を漏らしたり（ケース内プリリーク）する対策や、ハンドセットのケースの耳当て部を耳介に密着させて受話を行うようにする対策が講じられている。
【０００３】
【発明が解決しようとする課題】
しかしながら、ケース内プリリーク対策を講じた構造では、ハンドセットのケースの内部に音を出していたので、送話側のマイクと受話側のレシーバとの間の音の回り込みによるハウリングを阻止する分離特性ともいうべきアイソレーション特性が良好にならない。そこで、そのアイソレーション特性を改善するために、ハンドセットのケース内を送話側と受話側とに区画する仕切りを設けるなどの余分な対策を講じる必要があった。
【０００４】
また、ケースの耳当て部を耳介に密着させて受話を行うという密閉型のものは、耳介部分で音のリークが生じると周波数特性が大きく変化してしまい、その変化を少なくするためには、受話側のレシーバ（電気音響変換器）の振動板の背室に大きな容積を確保するという手段が採用されていた。
【０００５】
ところで、近時一般的に普及している携帯電話機では、それを衣服のポケットやバッグに入れて便利に持ち運びできるように小形化が進んでいることなどの関係から、上記したような仕切りを余分に設けたり振動板の背室の容積を大きくしたりすることは、小形化を阻害するので好ましくない。また、小形化の進んだ密閉型の携帯電話機では、ケースの耳当て部をピッタリと耳介に付けて受話音を聞き取るという動作を行いにくいのが現状であり、多くの場合には、ケースの耳当て部が耳介から少し離れたところに保たれる。そのため、実使用時にはケースの耳当て部と耳介との間に音のリークが生じて周波数特性が変化してしまい、特に低周波数帯域の音を聞き取りにくくなる。
【０００６】
本発明は以上の状況のもとでなされたものであり、振動板の背室の容積を大きくしたりしなくても、ケースの耳当て部に耳介をピッタリと付けた場合の音の聞こえ方（密閉特性）と、耳介から耳当て部が離れている場合の音の聞こえ方（プリリーク特性）との差が少なくなる受話用電気音響変換装置を提供することを目的とする。
【０００７】
また、本発明は、上記２つのいずれの場合でも、所定の周波数帯域での音響特性がほゞ平坦に保たれ、しかも、低周波数帯域の音を聞き取りやすくなる受話用電気音響変換装置を提供することを目的とする。
【０００８】
さらに、本発明は、ハンドセットのケースの送話側と受話側との間に仕切りを設けることなく、上記したアイソレーション特性を改善することのできる受話用電気音響変換器を提供することを目的とする。
【０００９】
【課題を解決するための手段】
本発明に係る受話用電気音響変換装置は、磁気回路形成要素と、磁気回路内のギャップに挿入されたボイスコイルを有しかつ上記磁気回路形成要素の前側に配備された振動板と、この振動板の前側に配備された通音性を有するバッフルプレートと、を備えた電気音響変換器が、ケースに収容され、その電気音響変換器からの背方への音漏れを遮断する遮蔽部材を有すると共に、上記バッフルプレートと上記磁気回路形成要素との間の空間を取り囲む囲い壁部材を有し、上記バッフルプレートに対面して上記ケースに設けられた音孔を有する耳当て部の外周部に音漏れ通路が形成され、この音漏れ通路と上記空間内の上記振動板により仕切られた背室とを連通路を介して連通する音出し通路が上記囲い壁部材に設けられ、上記バッフルプレートの前側に出た音の一部を上記連通路及び上記音出し通路を経て上記背室に戻す音戻し通路がそのバッフルプレートと上記耳当て部とによって形成され、上記バッフルプレートと上記耳当て部との間に柔軟なパッドが配備されている、というものである。
【００１０】
この発明において、上記遮蔽部材を、上記ケースに装備されかつ背板とその背板と一体の周壁とを有するフレームの上記背板と、上記背板に備わっている取付孔に嵌合状に取り付けられた上記電気音響変換器の上記磁気回路形成要素とによって形成しておくことが可能である。また、上記囲い壁部材を、周方向の一箇所が欠除された上記フレームの周壁と、その周壁の欠除部に嵌め込まれてその欠除部を塞ぐキャップとによって形成し、上記キャップに上記音出し通路を形成しておくことが可能である。
【００１１】
本発明の作用については、以下の実施の形態についての説明によって明らかにされる。
【００１２】
【発明の実施の形態】
図１は本発明に係る受話用電気音響変換装置の実施形態の要部を示した分解斜視図、図２は同装置の要部を説明的に示した断面図である。
【００１３】
図１及び図２において、レシーバとして用いられている電気音響変換器１０は、磁気回路形成要素２０と、磁気回路内のギャップＧに挿入されたボイスコイル３１を有しかつ上記磁気回路形成要素２０の前側に配備されたダイアフラム型の振動板３０と、この振動板３０の前側に配備された通音性を有するバッフルプレート４０と、フレーム５０と、パッド６０とを備えている。また、この電気音響変換器１０には、低音響インピーダンス電気音響変換器が採用されている。
【００１４】
磁気回路形成要素２０は、円板型のマグネット２１と、そのマグネット２１の両極に振り分けて配備された円形のヨーク２２及び円板型のポールピース２３とを有しており、ヨーク２２とポールピース２３との間に上記ギャップＧが形成されている。バッフルプレート４０は円形の金属板でなり、その偏心箇所に放音孔４１を備えている。フレーム５０は、背板５１とその背板５１と一体の周壁５２とを有する合成樹脂成形体でなり、背板５１に設けられている取付孔５３に、上記磁気回路形成要素２０が嵌合状に取り付けられている。また、上記周壁５２はその周方向の一箇所が欠除されていて、その欠除部に取り付けられた円弧状のキャップ５４によってその欠除部が塞がれている。そして、周壁５２とキャップ５４とによって形作られた円形の囲い壁部材５５（後述する）に上記振動板３０の外周縁と上記バッフルプレート４０の外周縁とが支持されている。さらに、フレーム５０の外周部に具備された平坦部５８に、コイルばね型のターミナル端子５６，５７が取り付けられており、これらのターミナル端子５６，５７に、ボイスコイル３１から引き出されたリード線３２，３３が各別に接続されている。図１のように、上記パッド６０は、柔軟素材でなる縁枠６１と、この縁枠６１によって形作られた開口を覆う微細網目を有する柔軟なネット６２とを一体に備えている。このパッド６０は、図２のように、その縁枠６１がフレーム５０に接着剤で貼着されていて、バッフルプレート４１を覆い、かつ、上記平坦部５８の上に折り返されている。
【００１５】
以上の構成を備えた電気音響変換器１０は、図２のように、携帯電話機のハンドセットのケース７０にユニットとして組み込まれ、その組込み状態（収容状態）では、ターミナル端子５６，５７が、ケース７０内の配線基板８０の電極に弾接される。そして、パッド６０がケース７０に設けられた耳当て部７１の裏面に当接されることにより、そのパッド６０がバッフルプレート４０と耳当て部７１との間に配備された形になっている。なお、耳当て部７１はバッフルプレート４０に対面していて、その中央部分の２箇所に音孔７４を有している。
【００１６】
図１及び図２を参照して説明した電気音響変換装置において、ケース７０に装備されているフレーム５０の背板５１とその背板５０の取付孔５３に取り付けられている電気音響変換器１０の磁気回路形成要素２０とによって遮蔽部材９０が形成されている。この遮蔽部材９０は、電気音響変換器１０からの背方への音漏れを遮断する機能を持っている。また、フレーム５０の周壁５２とキャップ５４とによって形作られている円形の上記囲い壁部材５５が、バッフルプレート４０と磁気回路形成要素２０との間の空間をその周囲で取り囲んでいる。
【００１７】
上記耳当て部７１の外周部に外向きの音漏れ通路７２が開設されているのに対し、上記囲い壁部材５５を形成しているキャップ５４に音出し通路５９が開設されており、その音出し通路５９は、囲い壁部材５５によって囲まれている空間内の背室、すなわち振動板３０によって仕切られた背室３４に連通している。また、上記囲い壁部材５５と上記耳当て部７１の外周部との間の隙間空間によって形成されている連通路７３が、その連通路７３を挟んで互いに対峙している上記音漏れ通路７２の始部７２ａと上記音出し通路５９の終部５９ａとを連通させている。
【００１８】
図２では、ケース７０の一端側に設けられた受話側の電気音響変換装置だけを示してあるけれども、ケース７０の他端側には送話側の電気音響変換装置が設けられている。
【００１９】
この電気音響変換装置によると、電気音響変換器１０で発生した音のケース内への音漏れが遮蔽部材９０によって遮断されるので、受話側と送話側との間での音の回り込みによるハウリングが防止されるようになる。そのため、アイソレーション特性が改善されたものになる。
【００２０】
また、振動板３０の背室３４の音が、その背室３４から音出し通路５９、連通路７３を経た後、音漏れ通路７２を通って矢印ａ，ｂのようにケース７０の外側へ漏れ出る。このことにより、周波数特性が改善されて所定の周波数帯域での音響特性がほゞ平坦に保たれ、しかも、低周波数帯域の音を聞き取りやすくなる。さらに、一旦、バッフルプレート４０の前側に出た音の一部が、バッフルプレート４０とケース７０の耳当て部７１との隙間によって形成されている音戻し通路７５を通って矢印ｃのように連通路７３に達し、さらに、音出し通路５９を通って振動板３０の背室３４に戻る。このことにより、耳当て部７１と耳介との密閉度が周波数特性に悪影響を与えなくなる。
【００２１】
なお、この電気音響変換装置では、バッフルプレート４０やパッド６０が、振動板３０などを覆っているので、それらによって防塵作用が発揮される利点がある。
【００２２】
次に、本発明に係る電気音響変換装置の音響特性を、比較例と共に図３〜図８及び図９〜図１１を参照して説明する。音響特性は、電気音響変換装置に周波数特性の測定治具を設置することにより定量的に計測される。
【００２３】
図３〜図８において、１は測定治具であり、人工耳２と集音用のマイクロホン３とを有している。４はリーケージリングであり、音漏れ孔５を備えている。
【００２４】
図３、図５及び図７は、ケース７０の耳当て部７１に測定治具１の人工耳２を押し付けて耳当て部７１の音孔７４を取り囲ませることにより、耳当て部７１と人工耳２との隙間からの音漏れを生じないようにして行う測定方法を示している。この測定方法は、ケース７０の耳当て部７１を、音漏れを生じないように耳介にピッタリと付けて受話音を聞くときの模擬態様であり、周波数特性の基本的な測定に適している。これに対し、図４、図６及び図８はリーケージリング４を使用して耳当て部７１と人工耳２との相互間で音漏れを生じさせるようにして行う測定方法を示している。この測定方法は、耳当て部７１に対して耳介が離れている状態で受話音を聞くときの模擬態様であり、図３、図５及び図７の場合よりも携帯電話の実使用状態に近い状態で周波数特性を定量的に測定できる。以下では、図３、図５及び図７の測定方法によって得られる周波数特性を密閉特性、図４、図６及び図８の測定方法によって得られる周波数特性をプリリーク特性ということにする。
【００２５】
図３に本発明に係る受話側電気音響変換装置の密閉特性の測定方法、図４に同装置のプリリーク特性の測定方法をそれぞれ示してある。図５に第１比較例に係る受話側電気音響変換装置の密閉特性の測定方法、図６に同装置のプリリーク特性の測定方法をそれぞれ示してある。図７に第２比較例に係る受話側電気音響変換装置の密閉特性の測定方法、図８に同装置のプリリーク特性の測定方法をそれぞれ示してある。また、図９には本発明に係る受話側電気音響変換装置の音響特性を、図１０には第１比較例による受話側電気音響変換装置の音響特性を、図１１には第２比較例による受話側電気音響変換装置の音響特性を、それぞれ示してある。なお、図９〜図１１において、実線は密閉特性を、破線はプリリーク特性曲線を示している。なお、本発明に係る受話側電気音響変換装置と第１及び第２の比較例との相違点は、第１比較例については、耳当て部７１の２つの音孔７４のうちの１つを塞いでその数を１つにしたものであり、第２比較例は、囲い壁部材５５の音出し孔５９を塞いだものである。その他の点については、本発明に係る受話側電気音響変換装置と第１及び第２の比較例とにおいて同様の構成になっている。
【００２６】
第１比較例の音響特性を示す図１０によると、密閉特性の感度が低周波数帯域（１００〜５００Ｈｚ付近）で１１０ｄＢ程度の高い数値を示しているけれども、１〜２ｋＨｚでは感度の落ち込みが激しく、密閉特性の平坦性という点からすれば満足できるものでない。また、プリリーク特性の感度は９０ｄＢ程度で、ある程度の平坦性を保っている。しかし、１ｋＨｚ以下の低周波数側での密閉特性とプリリーク特性との差Ｈが大きくなっている。このことは、耳当て部７１に耳介をピッタリと付けて耳介部分での音漏れが生じないようにしたときに聞こえる低周波数帯域の音が、耳介部分で音漏れが生じているときには極端に聞こえにくくなることを示している。
【００２７】
第２比較例の音響特性を示す図１１によると、密閉特性の感度が１ｋＨｚ以下の低周波数側で９０ｄＢ近辺に納まってある程度の平坦性を保っている。プリリーク特性の感度は、１ｋＨｚ以下の帯域で、低周波数になるほど急激に低下している。このため、１ｋＨｚ以下の低周波数側での密閉特性とプリリーク特性との差Ｈが、低周波数になるほど急激に大きくなっている。したがって、この場合も、耳当て部７１に耳介をピッタリと付けて耳介部分での音漏れが生じないようにしたときに聞こえる低周波数帯域の音が、耳介部分で音漏れが生じているときには極端に聞こえにくくなることを示している。
【００２８】
本発明に係る受話側電気音響変換装置の音響特性を示す図９によると、密閉特性及びプリリーク特性の感度が、１ｋＨｚ以下の低周波数側において近似していて共に９０〜９５ｄＢの範囲に納まっており、しかも、密閉特性およびプリリーク特性の感度は共に平坦性を保っている。そして、低周波数側での両特性の差Ｈが小さく縮まっている。このことは、耳当て部７１に耳介をピッタリと付けて耳介部分での音漏れが生じないようにしたときに聞こえる低周波数帯域の音の聞こえ方と、耳介部分で音漏れが生じているときに聞こえる低周波数帯域の音の聞こえ方との差が少なく、いずれの場合も音を聞き取りやすくなっていることを示している。
【００２９】
上記した実施形態では、電気音響変換器１０として低音響インピーダンスダイナミックレシーバを用いているけれども、電気音響変換器１０として高音響インピーダンスダイナミックレシーバを用いた場合には、密閉特性およびプリリーク特性の感度が共に低周波数側において図９の場合よりも下がるけれども、低周波数側での両特性の差Ｈは小さく縮まり、感度の平坦性も確保されることを確認している。
【００３０】
【発明の効果】
以上のように、本発明によれば、振動板の背室の容積を大きくしたりしなくても、密閉特性とプリリーク特性との差が少なくなると共に、所定の周波数帯域での音響特性がほゞ平坦に保たれるので、低周波数帯域の音を聞き取りやすくなる。また、本発明によれば、ケースの送話側と受話側との間に仕切りを設けることなく、アイソレーション特性を改善することが可能になる。
【図面の簡単な説明】
【図１】本発明に係る受話用電気音響変換装置の実施形態の要部を示した分解斜視図である。
【図２】同受話用電気音響変換装置の要部を説明的に示した断面図である。
【図３】本発明に係る受話側電気音響変換装置の密閉特性の測定方法を示す説明図である。
【図４】本発明に係る受話側電気音響変換装置のプリリーク特性の測定方法を示す説明図である。
【図５】第１比較例の密閉特性の測定方法を示す説明図である。
【図６】第１比較例のプリリーク特性の測定方法を示す説明図である。
【図７】第２比較例の密閉特性の測定方法を示す説明図である。
【図８】第２比較例のプリリーク特性の測定方法を示す説明図である。
【図９】本発明に係る受話側電気音響変換装置の音響特性を示した線図である。
【図１０】第１比較例の音響特性を示した線図である。
【図１１】第２比較例の音響特性を示した線図である。
【符号の説明】
１０  電気音響変換器
２０  磁気回路形成要素
３０  振動板
３１  ボイスコイル
３４  背室
４０  バッフルプレート
５０  フレーム
５１  背板
５２  周壁
５３  取付孔
５４  キャップ
５５  囲い壁部材
５９  音出し通路
５９ａ  音出し通路の終部
６０  パッド
７０  ケース
７１  耳当て部
７２  音漏れ通路
７２ａ  音漏れ通路の始部
７３  連通路
７４  音孔
７５  音戻し通路
９０  遮蔽部材
Ｇ  ギャップ
【図１】
0003557361.tif 000002
【図２】
0003557361.tif 000003
【図３】
0003557361.tif 000004
【図４】
0003557361.tif 000005
【図５】
0003557361.tif 000006
【図６】
0003557361.tif 000007
【図７】
0003557361.tif 000008
【図８】
0003557361.tif 000009
【図９】
0003557361.tif 000010
【図１０】
0003557361.tif 000011
【図１１】
0003557361.tif 000012